(57)【要約】【課題】ユーザが安心して見積りに必要な情報を入力することができ、引越業者が高い精度で費用を見積ることができる引越見積受付システム、サーバ、引越見積受付方法、及びサーバで実行することが可能なコンピュータプログラムを提供する。【解決手段】本発明に係る引越見積受付システムは、引越費用の見積りに必要なデータを収集し、見積りを行う複数の業者端末へ送信するサーバと、サーバとデータ通信することが可能に接続され、引越費用の見積りに必要な必要情報の入力を受け付けるユーザ端末と、サーバとデータ通信することが可能に接続され、必要情報をサーバから取得する業者端末とを備える。サーバは、外部のコンピュータとデータ通信することができない構成の、必要情報を記憶するデータ記憶サーバと、唯一データ通信することが可能に接続されており、データ記憶サーバには、サーバからのみ必要情報を読み書きすることができる。【選択図】図１
2015210581.tif 000002
【特許請求の範囲】
【請求項１】
引越費用の見積りに必要なデータを収集し、見積りを行う複数の引越業者の業者端末へ送信するサーバと、
該サーバとデータ通信することが可能に接続され、引越費用の見積りに必要な必要情報の入力を受け付け、前記サーバへ送信するユーザ端末と、
前記サーバとデータ通信することが可能に接続され、該必要情報の取得請求を前記サーバへ送信し、前記必要情報を前記サーバから取得する前記業者端末と
を備える引越見積受付システムであって、
前記サーバは、外部のコンピュータとデータ通信することができない構成の、前記必要情報を記憶するデータ記憶サーバと、唯一データ通信することが可能に接続されており、
前記データ記憶サーバには、前記サーバからのみ前記必要情報を読み書きすることができるようにしてあることを特徴とする引越見積受付システム。
【請求項２】
前記サーバは、
前記ユーザ端末で入力を受け付けた、暗号化された前記必要情報を受信する必要情報受信手段と、
受信した前記必要情報を前記データ記憶サーバへ送信する必要情報転送手段と
を備え、
前記データ記憶サーバは、
前記必要情報を受信し、受信した前記必要情報を暗号化された状態で記憶することを特徴とする請求項１に記載の引越見積受付システム。
【請求項３】
前記サーバは、
前記業者端末で入力を受け付けた、前記必要情報の取得を請求する請求情報を受信する請求情報受信手段と、
受信した前記請求情報に基づいて、前記データ記憶サーバから前記必要情報を読み出し、前記業者端末へ送信する送信手段と
を備え、
前記業者端末において、前記必要情報を復号することを特徴とする請求項２に記載の引越見積受付システム。
【請求項４】
前記サーバは、
前記ユーザ端末において暗号化処理に用いた暗号鍵に対する復号鍵情報を、前記業者端末に対する前記必要情報の送信とは別個に送信することを特徴とする請求項２又は３に記載の引越見積受付システム。
【請求項５】
引越費用の見積りに必要な必要情報の入力を受け付けて送信するユーザ端末、及び
該必要情報の取得請求を送信し、前記必要情報を取得する業者端末とデータ通信することが可能に接続され、
引越費用の見積りに必要なデータを収集し、見積りを行う複数の前記業者端末へ送信するサーバであって、
外部のコンピュータとデータ通信することができない構成の、前記必要情報を記憶するデータ記憶サーバと、唯一データ通信することが可能に接続されており、
前記データ記憶サーバに前記必要情報を読み書きすることができるようにしてあることを特徴とするサーバ。
【請求項６】
前記ユーザ端末で入力を受け付けた、暗号化された前記必要情報を受信する必要情報受信手段と、
受信した前記必要情報を前記データ記憶サーバへ送信する必要情報転送手段と
を備えることを特徴とする請求項５に記載のサーバ。
【請求項７】
前記業者端末で入力を受け付けた、前記必要情報の取得を請求する請求情報を受信する請求情報受信手段と、
受信した前記請求情報に基づいて、前記データ記憶サーバから前記必要情報を読み出し、前記業者端末へ送信する送信手段と
を備えることを特徴とする請求項６に記載のサーバ。
【請求項８】
引越費用の見積りに必要なデータを収集し、見積りを行う複数の業者端末へ送信するサーバと、
該サーバとデータ通信することが可能に接続され、引越費用の見積りに必要な必要情報の入力を受け付け、前記サーバへ送信するユーザ端末と、
前記サーバとデータ通信することが可能に接続され、該必要情報の取得請求を前記サーバへ送信し、前記必要情報を前記サーバから取得する前記業者端末と
を備える引越見積受付システムで実行することが可能な引越見積受付方法であって、
前記サーバは、外部のコンピュータとデータ通信することができない構成の、前記必要情報を記憶するデータ記憶サーバと、唯一データ通信することが可能に接続されており、
前記データ記憶サーバには、前記サーバからのみ前記必要情報を読み書きすることができるようにしてあることを特徴とする引越見積受付方法。
【請求項９】
前記サーバは、
前記ユーザ端末で入力を受け付けた、暗号化された前記必要情報を受信する工程と、
受信した前記必要情報を前記データ記憶サーバへ送信する工程と
を含み、
前記データ記憶サーバは、
前記必要情報を受信する工程と、
受信した前記必要情報を暗号化された状態で記憶する工程と
を含むことを特徴とする請求項８に記載の引越見積受付方法。
【請求項１０】
前記サーバは、
前記業者端末で入力を受け付けた、前記必要情報の取得を請求する請求情報を受信する工程と、
受信した前記請求情報に基づいて、前記データ記憶サーバから前記必要情報を読み出し、前記業者端末へ送信する工程と
を含み、
前記業者端末において、前記必要情報を復号することを特徴とする請求項９に記載の引越見積受付方法。
【請求項１１】
前記サーバは、
前記ユーザ端末において暗号化処理に用いた暗号鍵に対する復号鍵情報を、前記業者端末に対する前記必要情報の送信とは別個に送信することを特徴とする請求項９又は１０に記載の引越見積受付方法。
【請求項１２】
引越費用の見積りに必要な必要情報の入力を受け付けて送信するユーザ端末、及び
該必要情報の取得要求を送信し、前記必要情報を取得する業者端末とデータ通信することが可能に接続され、
引越費用の見積りに必要なデータを収集し、見積りを行う複数の前記業者端末へ送信するサーバで実行することが可能なコンピュータプログラムであって、
前記サーバは、外部のコンピュータとデータ通信することができない構成の、前記必要情報を記憶するデータ記憶サーバと、唯一データ通信することが可能に接続されており、
前記サーバを、前記データ記憶サーバに前記必要情報を読み書きする手段として機能させることを特徴とするコンピュータプログラム。
【請求項１３】
前記サーバを、
前記ユーザ端末で入力を受け付けた、暗号化された前記必要情報を受信する必要情報受信手段、及び
受信した前記必要情報を前記データ記憶サーバへ送信する必要情報送信手段
として機能させることを特徴とする請求項１２に記載のコンピュータプログラム。
【請求項１４】
前記サーバを、
前記業者端末で入力を受け付けた、前記必要情報の取得を請求する請求情報を受信する請求情報受信手段、及び
受信した前記請求情報に基づいて、前記データ記憶サーバから前記必要情報を読み出し、前記業者端末へ送信する送信手段
として機能させることを特徴とする請求項１３に記載のコンピュータプログラム。
【発明の詳細な説明】
【技術分野】
【０００１】
本発明は、引越を計画している家庭、オフィスに関する秘密情報が漏えいすることなく安心して自動的に見積りをすることが可能な引越見積受付システム、サーバ、引越見積受付方法、及びサーバで実行することが可能なコンピュータプログラムに関する。
【背景技術】
【０００２】
引越の季節ともなると、様々な引越業者が多様なサービスを展開している。そして、引越費用の見積り精度を高めることにより、利益率を高めることができる。引越費用の見積り精度を高めるための工夫は、多々提案されている。
【０００３】
しかし、引越費用を見積る場合、引越業者が引越を計画している家庭、オフィス等を訪問し、運ぶべき家具（備品）類の種類や数を調べて必要な作業者の数や車両の数を割り出し、引越先までの距離を調べる等、各種の条件を定めなければ見積りの精度が低くなる。そして、必要な条件が増えるほど見積書の作成に時間がかかり、迅速な見積りの提示を行うことが困難になっていた。
【０００４】
そこで、特許文献１では、引越費用の見積りを自動的に、しかも迅速に知ることができるように、主データ処理装置と端末側データ処理装置とを回線を介して接続し、端末側データ処理装置で引越費用を見積るためのパラメータ、例えば荷物の個数を入力すると、主データ処理装置でパラメータと基礎情報とから引越費用を見積り、端末側データ処理装置に出力している。したがって、例えば外国等の遠隔地からであっても引越費用を見積ることができるので、見積額に応じてその引越業者に依頼するか否かを迅速にしかも安心して決定することができる。
【先行技術文献】
【特許文献】
【０００５】
【特許文献１】特開２００２−１１７２７８号公報
【発明の概要】
【発明が解決しようとする課題】
【０００６】
特許文献１では、外部の端末側データ処理装置から、回線を介して接続された主データ端末装置上で、パラメータと基礎情報とに基づいて引越費用を見積っているため、外部の第三者による主データ処理装置への不正なアクセスを完全に防ぐことはできない。したがって、ユーザの秘密情報であるべき、家族構成、引越予定日、引越元及び引越先の住所等が外部の第三者に漏えいする可能性は０（ゼロ）ではない。
【０００７】
引越作業時には多くの人間が引越元の住居、あるいは引越先の住居に出入りする機会が多いことから、窃盗等の犯罪行為に遭遇する可能性も高く、秘密情報が漏えいする可能性は極力抑制することが好ましい。しかし、見積精度を高めるためには必要な情報でもあり、現状では引越業者のサーバに不正アクセスされた場合には、秘密情報の外部の第三者への漏えいを防ぐ有効な手段がないという問題点があった。
【０００８】
本発明は斯かる事情に鑑みてなされたものであり、ユーザが安心して見積りに必要な情報を入力することができ、引越業者が高い精度で費用を見積ることができる引越見積受付システム、サーバ、引越見積受付方法、及びサーバで実行することが可能なコンピュータプログラムを提供することを目的とする。
【課題を解決するための手段】
【０００９】
上記目的を達成するために第１発明に係る引越見積受付システムは、引越費用の見積りに必要なデータを収集し、見積りを行う複数の引越業者の業者端末へ送信するサーバと、該サーバとデータ通信することが可能に接続され、引越費用の見積りに必要な必要情報の入力を受け付け、前記サーバへ送信するユーザ端末と、前記サーバとデータ通信することが可能に接続され、該必要情報の取得請求を前記サーバへ送信し、前記必要情報を前記サーバから取得する前記業者端末とを備える引越見積受付システムであって、前記サーバは、外部のコンピュータとデータ通信することができない構成の、前記必要情報を記憶するデータ記憶サーバと、唯一データ通信することが可能に接続されており、前記データ記憶サーバには、前記サーバからのみ前記必要情報を読み書きすることができるようにしてあることを特徴とする。
【００１０】
また、第２発明に係る引越見積受付システムは、第１発明において、前記サーバは、前記ユーザ端末で入力を受け付けた、暗号化された前記必要情報を受信する必要情報受信手段と、受信した前記必要情報を前記データ記憶サーバへ送信する必要情報転送手段とを備え、前記データ記憶サーバは、前記必要情報を受信し、受信した前記必要情報を暗号化された状態で記憶することを特徴とする。
【００１１】
また、第３発明に係る引越見積受付システムは、第２発明において、前記サーバは、前記業者端末で入力を受け付けた、前記必要情報の取得を請求する請求情報を受信する請求情報受信手段と、受信した前記請求情報に基づいて、前記データ記憶サーバから前記必要情報を読み出し、前記業者端末へ送信する送信手段とを備え、前記業者端末において、前記必要情報を復号することを特徴とする。
【００１２】
また、第４発明に係る引越見積受付システムは、第２又は第３発明において、前記サーバは、前記ユーザ端末において暗号化処理に用いた暗号鍵に対する復号鍵情報を、前記業者端末に対する前記必要情報の送信とは別個に送信することを特徴とする。
【００１３】
次に、上記目的を達成するために第５発明に係るサーバは、引越費用の見積りに必要な必要情報の入力を受け付けて送信するユーザ端末、及び該必要情報の取得請求を送信し、前記必要情報を取得する業者端末とデータ通信することが可能に接続され、引越費用の見積りに必要なデータを収集し、見積りを行う複数の前記業者端末へ送信するサーバであって、外部のコンピュータとデータ通信することができない構成の、前記必要情報を記憶するデータ記憶サーバと、唯一データ通信することが可能に接続されており、前記データ記憶サーバに前記必要情報を読み書きすることができるようにしてあることを特徴とする。
【００１４】
また、第６発明に係るサーバは、第５発明において、前記ユーザ端末で入力を受け付けた、暗号化された前記必要情報を受信する必要情報受信手段と、受信した前記必要情報を前記データ記憶サーバへ送信する必要情報転送手段とを備えることを特徴とする。
【００１５】
また、第７発明に係るサーバは、第６発明において、前記業者端末で入力を受け付けた、前記必要情報の取得を請求する請求情報を受信する請求情報受信手段と、受信した前記請求情報に基づいて、前記データ記憶サーバから前記必要情報を読み出し、前記業者端末へ送信する送信手段とを備えることを特徴とする。
【００１６】
次に、上記目的を達成するために第８発明に係る引越見積受付方法は、引越費用の見積りに必要なデータを収集し、見積りを行う複数の業者端末へ送信するサーバと、該サーバとデータ通信することが可能に接続され、引越費用の見積りに必要な必要情報の入力を受け付け、前記サーバへ送信するユーザ端末と、前記サーバとデータ通信することが可能に接続され、該必要情報の取得請求を前記サーバへ送信し、前記必要情報を前記サーバから取得する前記業者端末とを備える引越見積受付システムで実行することが可能な引越見積受付方法であって、前記サーバは、外部のコンピュータとデータ通信することができない構成の、前記必要情報を記憶するデータ記憶サーバと、唯一データ通信することが可能に接続されており、前記データ記憶サーバには、前記サーバからのみ前記必要情報を読み書きすることができるようにしてあることを特徴とする。
【００１７】
また、第９発明に係る引越見積受付方法は、第８発明において、前記サーバは、前記ユーザ端末で入力を受け付けた、暗号化された前記必要情報を受信する工程と、受信した前記必要情報を前記データ記憶サーバへ送信する工程とを含み、前記データ記憶サーバは、前記必要情報を受信する工程と、受信した前記必要情報を暗号化された状態で記憶する工程とを含むことを特徴とする。
【００１８】
また、第１０発明に係る引越見積受付方法は、第９発明において、前記サーバは、前記業者端末で入力を受け付けた、前記必要情報の取得を請求する請求情報を受信する工程と、受信した前記請求情報に基づいて、前記データ記憶サーバから前記必要情報を読み出し、前記業者端末へ送信する工程とを含み、前記業者端末において、前記必要情報を復号することを特徴とする。
【００１９】
また、第１１発明に係る引越見積受付方法は、第９又は第１０発明において、前記サーバは、前記ユーザ端末において暗号化処理に用いた暗号鍵に対する復号鍵情報を、前記業者端末に対する前記必要情報の送信とは別個に送信することを特徴とする。
【００２０】
次に、上記目的を達成するために第１２発明に係るコンピュータプログラムは、引越費用の見積りに必要な必要情報の入力を受け付けて送信するユーザ端末、及び該必要情報の取得要求を送信し、前記必要情報を取得する業者端末とデータ通信することが可能に接続され、引越費用の見積りに必要なデータを収集し、見積りを行う複数の前記業者端末へ送信するサーバで実行することが可能なコンピュータプログラムであって、前記サーバは、外部のコンピュータとデータ通信することができない構成の、前記必要情報を記憶するデータ記憶サーバと、唯一データ通信することが可能に接続されており、前記サーバを、前記データ記憶サーバに前記必要情報を読み書きする手段として機能させることを特徴とする。
【００２１】
また、第１３発明に係るコンピュータプログラムは、第１２発明において、前記サーバを、前記ユーザ端末で入力を受け付けた、暗号化された前記必要情報を受信する必要情報受信手段、及び受信した前記必要情報を前記データ記憶サーバへ送信する必要情報送信手段として機能させることを特徴とする。
【００２２】
また、第１４発明に係るコンピュータプログラムは、第１３発明において、前記サーバを、前記業者端末で入力を受け付けた、前記必要情報の取得を請求する請求情報を受信する請求情報受信手段、及び受信した前記請求情報に基づいて、前記データ記憶サーバから前記必要情報を読み出し、前記業者端末へ送信する送信手段として機能させることを特徴とする。
【００２３】
第１発明、第５発明、第８発明、及び第１２発明では、引越費用の見積りに必要なデータを収集し、見積りを行う複数の引越業者の業者端末へ送信するサーバが、引越費用の見積りに必要な必要情報の入力を受け付け、サーバへ送信するユーザ端末と、必要情報の取得請求をサーバへ送信し、必要情報をサーバから取得する業者端末と、データ通信することが可能に接続されている。そして、外部のコンピュータとデータ通信することができない構成の、必要情報を記憶するデータ記憶サーバと、唯一データ通信することが可能に接続されており、データ記憶サーバに、サーバからのみ必要情報を読み書きすることができる。これにより、秘密情報が多く含まれている必要情報を、外部のコンピュータから直接読み出すことができず、高いセキュリティレベルを維持した状態で引越費用の見積りを行うことが可能となる。万一、サーバにおいて不正アクセスが検知された場合であっても、その時点で手段を講じることができ、必要情報が記憶されているデータ記憶サーバへ不正アクセスされる危険を抑制することも可能となる。
【００２４】
第２発明、第６発明、第９発明、及び第１３発明では、サーバは、ユーザ端末で入力を受け付けた、暗号化された必要情報を受信し、受信した必要情報をデータ記憶サーバへ送信する。データ記憶サーバは、必要情報を受信し、受信した必要情報を暗号化された状態で記憶する。これにより、ユーザ端末からサーバへの通信途上で第三者の傍受による必要情報の漏えいを抑制することができるとともに、暗号化された状態で記憶されているので、何らかの方法でデータ記憶サーバへ不正アクセスされた場合であっても、必要情報の内容を把握されることはなく、高いセキュリティレベルを維持することが可能となる。
【００２５】
第３発明、第７発明、第１０発明、及び第１４発明では、サーバは、業者端末で入力を受け付けた、必要情報の取得を請求する請求情報を受信し、受信した請求情報に基づいて、データ記憶サーバから必要情報を読み出し、業者端末へ送信する。業者端末において、必要情報を復号するので、引越業者が必要情報を使用するまでの間、第三者の傍受による必要情報の漏えいを抑制することができ、高いセキュリティレベルを維持することが可能となる。
【００２６】
第４発明、及び第１１発明では、ユーザ端末において暗号化処理に用いた暗号鍵に対する復号鍵情報を、業者端末に対する必要情報の送信とは別個に送信することにより、暗号化されて記憶されている必要情報と、復号鍵情報との両方が漏えいする可能性を低くすることができ、より高いセキュリティレベルを維持することができる。
【発明の効果】
【００２７】
本発明によれば、秘密情報が多く含まれている必要情報を、外部のコンピュータから直接読み出すことができず、高いセキュリティレベルを維持した状態で引越費用の見積りを行うことが可能となる。万一、サーバにおいて不正アクセスが検知された場合であっても、その時点で手段を講じることができ、必要情報が記憶されているデータ記憶サーバへ不正アクセスされる危険を抑制することも可能となる。
【図面の簡単な説明】
【００２８】
【図１】本発明の実施の形態に係る引越見積受付システムの構成を模式的に示すブロック図である。
【図２】本発明の実施の形態に係る引越見積受付システムのサーバの構成を模式的に示すブロック図である。
【図３】本発明の実施の形態に係る引越見積受付システムのデータ記憶サーバの構成を模式的に示すブロック図である。
【図４】本発明の実施の形態に係る引越見積受付システムのユーザ端末又は業者端末の構成を模式的に示すブロック図である。
【図５】本発明の実施の形態に係る引越見積受付システムのユーザ端末及びサーバの引越見積に必要な情報の入力時の機能ブロック図である。
【図６】本発明の実施の形態に係る引越見積受付システムのユーザ端末で入力を受け付ける必要情報の例示図である。
【図７】ＳＳＬ／ＴＬＳを用いる場合の、ユーザ端末とサーバとの間のデータ通信の例示図である。
【図８】本発明の実施の形態に係る引越見積受付システムのサーバとデータ記憶サーバとの間の接続構成を示す模式図である。
【図９】本発明の実施の形態に係る引越見積受付システムの業者端末及びサーバの引越見積に必要な情報の要求時の機能ブロック図である。
【図１０】本発明の実施の形態に係る引越見積受付システムにおけるサーバの必要情報取得処理の手順を示すフローチャートである。
【図１１】本発明の実施の形態に係る引越見積受付システムのサーバのＣＰＵの引越費用の見積りに必要な必要情報の取得時の処理手順を示すフローチャートである。
【発明を実施するための形態】
【００２９】
以下、本発明の実施の形態に係る引越見積受付システムについて、図面に基づいて具体的に説明する。以下の実施の形態は、特許請求の範囲に記載された発明を限定するものではなく、実施の形態の中で説明されている特徴的事項の組み合わせの全てが解決手段の必須事項であるとは限らないことは言うまでもない。
【００３０】
また、本発明は多くの異なる態様にて実施することが可能であり、実施の形態の記載内容に限定して解釈されるべきものではない。実施の形態を通じて同じ要素には同一の符号を付している。
【００３１】
以下の実施の形態では、コンピュータシステムにコンピュータプログラムを導入した装置について説明するが、当業者であれば明らかな通り、本発明はその一部をコンピュータで実行することが可能なコンピュータプログラムとして実施することができる。したがって、本発明は、ユーザが安心して引越費用の見積りに必要な情報を入力することができ、引越業者が高い精度で費用を見積ることができる引越見積受付システムを構成する各装置というハードウェアとしての実施の形態、ソフトウェアとしての実施の形態、又はソフトウェアとハードウェアとの組み合わせの実施の形態をとることができる。コンピュータプログラムは、ハードディスク、ＤＶＤ、ＣＤ、光記憶装置、磁気記憶装置等の任意のコンピュータで読み取ることが可能な記録媒体に記録することができる。
【００３２】
図１は、本発明の実施の形態に係る引越見積受付システムの構成を模式的に示すブロック図である。本発明の実施の形態に係る引越見積受付システムは、サーバ１、ユーザ端末４、及び業者端末５が、インターネット等のネットワーク網３を介して、データ通信することが可能に接続されている。
【００３３】
サーバ１は、データ記憶サーバ２とデータ通信することが可能に接続されている。データ記憶サーバ２は、サーバ１以外のコンピュータとはデータ通信することができない構成となっている。データ記憶サーバ２は、ユーザにとって秘密を保持する必要性の高い情報が含まれている、引越費用の見積りに必要な必要情報を記憶する必要情報記憶部２３１を備えている。
【００３４】
図２は、本発明の実施の形態に係る引越見積受付システムのサーバ１の構成を模式的に示すブロック図である。本実施の形態に係る引越見積受付システムのサーバ１は、少なくともＣＰＵ（中央演算装置）１１、メモリ１２、記憶装置１３、Ｉ／Ｏインタフェース１４、ビデオインタフェース１５、可搬型ディスクドライブ１６、通信インタフェース１７及び上述したハードウェアを接続する内部バス１８で構成されている。
【００３５】
ＣＰＵ１１は、内部バス１８を介してサーバ１の上述したようなハードウェア各部と接続されており、上述したハードウェア各部の動作を制御するとともに、記憶装置１３に記憶されたコンピュータプログラム１００に従って、種々のソフトウェア的機能を実行する。メモリ１２は、ＳＲＡＭ、ＳＤＲＡＭ等の揮発性メモリで構成され、コンピュータプログラム１００の実行時にロードモジュールが展開され、コンピュータプログラム１００の実行時に発生する一時的なデータ等を記憶する。
【００３６】
記憶装置１３は、内蔵される固定型記憶装置（ハードディスク）、ＲＯＭ等で構成されている。記憶装置１３に記憶されたコンピュータプログラム１００は、プログラム及びデータ等の情報を記録したＤＶＤ、ＣＤ−ＲＯＭ等の可搬型記録媒体９０から、可搬型ディスクドライブ１６によりダウンロードされ、実行時には記憶装置１３からメモリ１２へ展開して実行される。もちろん、通信インタフェース１７を介して接続されている外部コンピュータからダウンロードされたコンピュータプログラムであっても良い。
【００３７】
通信インタフェース１７は内部バス１８に接続されており、インターネット、ＬＡＮ、ＷＡＮ等の外部のネットワーク網３に接続されることにより、複数のユーザ端末４、複数の業者端末５等とデータ通信を行うことが可能となっている。本実施の形態では、外部のコンピュータとデータ通信を行うことができるのは、サーバ１のみであり、データ記憶サーバ２はサーバ１との間でのみデータ通信することができる。
【００３８】
Ｉ／Ｏインタフェース１４は、キーボード１０１、マウス１０２等の入力装置、あるいはプリンタ等の出力装置と接続され、セキュリティ関連の設定データ、パラメータ等の入力を受け付ける。ビデオインタフェース１５は、ＣＲＴディスプレイ、液晶ディスプレイ等の表示装置１０３と接続され、設定データ、パラメータ等に関する画像を表示する。
【００３９】
なお、本実施の形態では、サーバ１を１台のコンピュータとして構成しているが、後述する機能を有する限り、１台のコンピュータに限定されるものではなく、複数台のコンピュータで構成されていても良い。サーバ１が複数台のコンピュータで構成されている場合、例えばすべてのコンピュータにすべての機能を備えて、負荷分散機能により各コンピュータの演算処理負荷を均等に配分しても良いし、コンピュータごとに機能を分散させても良い。
【００４０】
図３は、本発明の実施の形態に係る引越見積受付システムのデータ記憶サーバ２の構成を模式的に示すブロック図である。本実施の形態に係る引越見積受付システムのデータ記憶サーバ２は、少なくともＣＰＵ（中央演算装置）２１、メモリ２２、記憶装置２３、Ｉ／Ｏインタフェース２４、ビデオインタフェース２５、通信インタフェース２６及び上述したハードウェアを接続する内部バス２７で構成されている。
【００４１】
ＣＰＵ２１は、内部バス２７を介してデータ記憶サーバ２の上述したようなハードウェア各部と接続されており、上述したハードウェア各部の動作を制御するとともに、記憶装置２３に記憶されたコンピュータプログラムに従って、種々のソフトウェア的機能を実行する。メモリ２２は、ＳＲＡＭ、ＳＤＲＡＭ等の揮発性メモリで構成され、コンピュータプログラムの実行時にロードモジュールが展開され、コンピュータプログラムの実行時に発生する一時的なデータ等を記憶する。
【００４２】
記憶装置２３は、内蔵される固定型記憶装置（ハードディスク）、ＲＯＭ等で構成されている。記憶装置２３に記憶されたコンピュータプログラムは、プログラム及びデータ等の情報を記録したＤＶＤ、ＣＤ−ＲＯＭ等の可搬型記録媒体からインストールされたコンピュータプログラム、あるいは通信インタフェース２６を介して接続されている外部コンピュータからダウンロードされたコンピュータプログラムである。
【００４３】
記憶装置２３は、引越費用の見積りのために必要な必要情報を記憶する必要情報記憶部２３１を備えている。ここで、必要情報とは、引越費用の見積りに必要な情報を意味しており、例えばユーザの氏名、電話番号、住所（引越元、引越先）、家族の人数、部屋の間取り、引越予定日等の情報である。必要情報記憶部２３１には、必要情報が暗号化された状態で記憶される。
【００４４】
通信インタフェース２６は内部バス２７に接続されているが、インターネット、ＬＡＮ、ＷＡＮ等の外部のネットワーク網３には接続されていない。そして、サーバ１と構内ＬＡＮ等の通信線を介して接続することにより、唯一サーバ１とデータ通信をすることが可能となっている。
【００４５】
Ｉ／Ｏインタフェース２４は、キーボード２０１、マウス２０２等の入力装置、あるいはプリンタ等の出力装置と接続され、データ記憶サーバ２自体の設定データ等の入力を受け付ける。ビデオインタフェース２５は、ＣＲＴディスプレイ、液晶ディスプレイ等の表示装置２０３と接続され、設定データ、あるいはメンテナンスに伴う所定の画像を表示する。なお、本実施の形態では、データ記憶サーバ２に記憶されているデータであっても、必要情報記憶部２３１に記憶されているデータについては、表示装置２０３に表示させることはできない。
【００４６】
なお、本実施の形態では、データ記憶サーバ２を１台のコンピュータとして構成しているが、１台のコンピュータに限定されるものではなく、複数台のコンピュータで構成されていても良い。データ記憶サーバ２が複数台のコンピュータで構成されている場合、例えば複数のコンピュータにデータを冗長化することで、システムの可用性を高めることもできる。
【００４７】
図４は、本発明の実施の形態に係る引越見積受付システムのユーザ端末４又は業者端末５の構成を模式的に示すブロック図である。本実施の形態に係る引越見積受付システムのユーザ端末４又は業者端末５は、少なくともＣＰＵ（中央演算装置）４１（５１）、メモリ４２（５２）、記憶装置４３（５３）、Ｉ／Ｏインタフェース４４（５４）、ビデオインタフェース４５（５５）、通信インタフェース４６（５６）及び上述したハードウェアを接続する内部バス４７（５７）で構成されている。
【００４８】
ＣＰＵ４１（５１）は、内部バス４７（５７）を介してユーザ端末４又は業者端末５の上述したようなハードウェア各部と接続されており、上述したハードウェア各部の動作を制御するとともに、記憶装置４３（５３）に記憶されたコンピュータプログラムに従って、種々のソフトウェア的機能を実行する。メモリ４２（５２）は、ＳＲＡＭ、ＳＤＲＡＭ等の揮発性メモリで構成され、コンピュータプログラムの実行時にロードモジュールが展開され、コンピュータプログラムの実行時に発生する一時的なデータ等を記憶する。
【００４９】
記憶装置４３（５３）は、内蔵される固定型記憶装置（ハードディスク）、ＲＯＭ等で構成されている。記憶装置４３（５３）に記憶されたコンピュータプログラムは、プログラム及びデータ等の情報を記録したＤＶＤ、ＣＤ−ＲＯＭ等の可搬型記録媒体からインストールされたコンピュータプログラム、あるいは通信インタフェース４６（５６）を介して接続されている外部コンピュータからダウンロードされたコンピュータプログラムである。
【００５０】
なお、ユーザ端末４又は業者端末５で実行されるコンピュータプログラムは、ブラウザ等であっても良いし、別途端末用プログラムをインストールしておき、必要に応じて実行しても良い。
【００５１】
また、業者端末５の記憶装置５３には、取得した必要情報に基づいて引越費用の見積額を算出する見積額算出プログラム及び算出するための基礎情報が記憶されている。業者端末５を使用する引越業者は、取得した必要情報に基づいて各社に固有の見積額算出プログラムにより引越費用の見積額を算出することができる。
【００５２】
通信インタフェース４６（５６）は内部バス４７（５７）に接続されており、インターネット、ＬＡＮ、ＷＡＮ等の外部のネットワーク網３を介して、サーバ１とデータ通信をすることが可能となっている。
【００５３】
Ｉ／Ｏインタフェース４４（５４）は、キーボード４０１（５０１）、マウス４０２（５０２）等の入力装置、あるいはプリンタ等の出力装置と接続され、ユーザ端末４ではユーザにより必要情報を含む引越に関する情報の入力を、業者端末５ではユーザの必要情報を含む引越に関する情報の取得申請等の入力を、それぞれ行うことができる。ビデオインタフェース４５（５５）は、ＣＲＴディスプレイ、液晶ディスプレイ等の表示装置４０３（５０３）と接続され、ユーザ端末４では必要情報を含む引越に関する情報の入力受付画面等が、業者端末５ではユーザの必要情報を含む引越に関する情報が、それぞれ画面に表示される。なお、入力装置と表示装置とが一体となったタブレット型端末であっても良いことは言うまでもない。
【００５４】
図５は、本発明の実施の形態に係る引越見積受付システムのユーザ端末４及びサーバ１の引越見積に必要な情報の入力時の機能ブロック図である。図５において、ユーザ端末４の見積要求送信手段４１１は、サーバ１に対して引越費用の見積りに必要な必要情報を入力するための画面あるいはアプリケーションの送信を要求する見積要求を送信する。
【００５５】
サーバ１の見積要求受信手段１１１は、見積要求を受信し、見積画面情報送信手段１１２は、ユーザ端末４へ入力フォーム等の見積画面情報を送信する。ユーザ端末４の見積画面情報受信手段４１２は、見積画面情報を受信し、受信した入力フォーム等を表示して、入力待ち状態となる。
【００５６】
引越費用の見積りを依頼するユーザは、ユーザ端末４の入力装置であるキーボード４０１を介して引越費用の見積りに必要となる情報を入力する。すなわち、ユーザ端末４の必要情報受付手段４１３は、引越費用の見積りに必要な必要情報を含む各種情報の入力を受け付ける。
【００５７】
図６は、本発明の実施の形態に係る引越見積受付システムのユーザ端末４で入力を受け付ける必要情報の例示図である。図６に示すように、引越費用の見積りを依頼するユーザの名前だけではなく、家族の人数、家の間取り、引越の予定日等、外部の第三者へ漏えいしては困る情報が含まれる。
【００５８】
図５に戻って、必要情報暗号化手段４１４は、例えば暗号化鍵情報を用いて、入力を受け付けた必要情報を暗号化する。必要情報送信手段４１５は、暗号化された必要情報をサーバ１へ送信する。
【００５９】
なお、必要情報を暗号化する方法については特に限定されるものではなく、共通鍵情報を用いるものであっても、公開鍵情報を用いるものであっても良い。そして、暗号化された必要情報を、ＳＳＬ／ＴＬＳ（Ｓｅｃｕｒｅ  Ｓｏｃｋｅｔｓ  Ｌａｙｅｒ／Ｔｒａｎｓｐｏｒｔ  Ｌａｙｅｒ  Ｓｅｃｕｒｉｔｙ）、ＶＰＮ（Ｖｉｒｔｕａｌ  Ｐｒｉｖａｔｅ  Ｎｅｔｗｏｒｋ）等のプロトコルを介して送信すれば良い。
【００６０】
例えば、ＳＳＬ／ＴＬＳは、共通鍵情報を用いて暗号化する。図７は、ＳＳＬ／ＴＬＳを用いる場合の、ユーザ端末４とサーバ１との間のデータ通信の例示図である。
【００６１】
図７において、ユーザ端末４は、Ｈｔｔｐｓで始まるサーバ１が提供するウェブサイトにアクセスする（ステップＳ７０１）。サーバ１は、サーバ証明書をユーザ端末４へ送信する（ステップＳ７０２）。
【００６２】
ユーザ端末４は、受信したサーバ証明書の信頼性を判断し（ステップＳ７０３）、信頼できるサーバ証明書である場合には乱数を発生させる（ステップＳ７０４）。ユーザ端末４は、サーバ証明書から公開鍵情報を抽出し（ステップＳ７０５）、乱数を暗号化し（ステップＳ７０６）、暗号化された乱数をサーバ１へ送信する（ステップＳ７０８）。
【００６３】
ここで、乱数を暗号化せずにサーバ１へ送信した場合、通信途上で第三者による傍受が可能であり、共通鍵を第三者が作成することができる可能性が生じる。したがって、共通鍵作成のもととなる乱数についても暗号化して送信する。
【００６４】
ユーザ端末４は、暗号化された乱数に基づいて共通鍵情報を作成する（ステップＳ７０７）。同様にサーバ１においても、受信した暗号化された乱数に基づいて共通鍵情報を作成する（ステップＳ７０９）。双方に共通鍵情報が作成された時点以降は、公開鍵情報で暗号化された情報をデータ通信し（ステップＳ７１０）、共通鍵情報で復号することにより安全なデータ通信を行うことができる。
【００６５】
図５に戻って、サーバ１の必要情報受信手段１１３は、ユーザ端末４で入力を受け付けた、暗号化された必要情報を受信し、必要情報転送手段１１４は、暗号化された状態のまま必要情報をデータ記憶サーバ２へ送信（転送）する。
【００６６】
データ記憶サーバ２は、サーバ１との間でデータ通信することはできるが、外部の他のコンピュータとの間でデータ通信することはできない。図８は、本発明の実施の形態に係る引越見積受付システムのサーバ１とデータ記憶サーバ２との間の接続構成を示す模式図である。
【００６７】
図８において、サーバ１とデータ記憶サーバ２との間にはセキュリティ機器、例えばルータ８１が接続されており、データ通信するＩＰアドレスの制限、ポートの制限等を行っている。もちろん、セキュリティ機器としては、ルータ８１に限定されるものではなく、ファイアウォールであっても良い。
【００６８】
サーバ１はインターネット等のネットワーク網３と接続されているのに対して、データ記憶サーバ２は接続されていないので、データ記憶サーバ２は外部のコンピュータと直接データ通信することはできない。したがって、外部のコンピュータは、まずサーバ１との間でデータ通信し、サーバ１がデータ記憶サーバ２との間でデータ通信することにより、サーバ１が取得して提供するデータに対してしかアクセスすることができない。これにより、外部の第三者が直接データ記憶サーバ２に対してデータの読み書きをすることがないようにしている。
【００６９】
図９は、本発明の実施の形態に係る引越見積受付システムの業者端末５及びサーバ１の引越見積に必要な情報の要求時の機能ブロック図である。図９において、業者端末５の請求情報受付手段５１１は、引越費用の見積りを行うために、サーバ１に対して、データ記憶サーバ２に記憶されている必要情報の取得を請求する請求情報の入力を受け付ける。
【００７０】
業者端末５の請求情報送信手段５１２は、入力を受け付けた請求情報をサーバ１へ送信する。サーバ１の請求情報受信手段４１６は、請求情報を受信する。
【００７１】
なお、請求情報についても暗号化してデータ通信することが好ましい。送信者が引越費用の見積りを行う引越業者であることが容易に判断できるからである。請求情報を暗号化する方法についても特に限定されるものではなく、共通鍵情報を用いるものであっても、公開鍵情報を用いるものであっても良い。そして、暗号化された請求情報を、ＳＳＬ／ＴＬＳ（Ｓｅｃｕｒｅ  Ｓｏｃｋｅｔｓ  Ｌａｙｅｒ／Ｔｒａｎｓｐｏｒｔ  Ｌａｙｅｒ  Ｓｅｃｕｒｉｔｙ）、ＶＰＮ（Ｖｉｒｔｕａｌ  Ｐｒｉｖａｔｅ  Ｎｅｔｗｏｒｋ）等のプロトコルを介して送信すれば良い。
【００７２】
また、事前に引越業者を登録しておき、固定ＩＰによるアクセス制限、及び／又は使用可能なＩＤ及びパスワードを付与することが好ましい。悪意ある第三者が、引越業者として登録して情報を引き出す可能性を排除することができるからである。
【００７３】
サーバ１の必要情報読出手段４１７は、データ記憶サーバ２に記憶されている必要情報を読み出す。データ記憶サーバ２には、暗号化された必要情報が記憶されており、読み出した必要情報についても暗号化された状態のままである。
【００７４】
サーバ１の必要情報送信手段４１８は、読み出した必要情報を、請求情報を受信した業者端末５へ送信する。したがって、通信途上で第三者に傍受された場合であっても、必要情報の内容を把握されることはない。
【００７５】
業者端末５の必要情報受信手段５１３は、暗号化された状態のまま必要情報を受信する。必要情報復号手段５１５は、受信した必要情報を復号する。ここで、暗号化された必要情報を復号する復号鍵情報は、業者端末５に事前に取得しておいても良いし、別の手段でサーバ１から業者端末５へ送信しても良い。
【００７６】
例えば、サーバ１の復号鍵情報を、独立して別個に業者端末５へ送信すれば良い。具体的には、サーバ１の復号鍵情報送信手段４１９は、サーバ１の記憶装置１３に記憶されている復号鍵情報（図７の共通鍵情報）を業者端末５へ送信する。業者端末５の復号鍵情報受信手段５１４は、サーバ１の記憶装置１３に記憶されている復号鍵情報（図７の共通鍵情報）を受信し、暗号化されている必要情報の復号に使用する。
【００７７】
業者端末５の見積書作成手段５１６は、復号された必要情報に基づいて、各引越業者の見積額算出プログラムによって、引越費用の見積額を算出して見積書として作成する。
【００７８】
図１０は、本発明の実施の形態に係る引越見積受付システムにおけるサーバ１の必要情報取得処理の手順を示すフローチャートである。図１０において、サーバ１のＣＰＵ１１は、引越費用の見積りに必要な必要情報を入力するための画面あるいはアプリケーションの送信を要求する見積要求を受信する（ステップＳ１００１）。
【００７９】
ＣＰＵ１１は、ユーザ端末４へ入力フォーム等のメニュー情報を送信する（ステップＳ１００２）。例えば、ブラウザで表示するためのＨＴＭＬデータ等である。ユーザ端末４は、受信した入力フォーム等の入力受付画面を表示装置４０３に表示して、入力装置であるキーボード４０１を介して引越費用の見積りに必要な必要情報の入力を受け付ける。なお、図７と同様の処理により、ユーザ端末４で必要情報を暗号化した公開鍵情報に対応する復号鍵情報（共通鍵情報）は、暗号化したユーザ端末４の記憶装置４３及びサーバ１の記憶装置１３に記憶される。
【００８０】
ＣＰＵ１１は、ユーザ端末４で入力を受け付けた、暗号化された必要情報を受信し（ステップＳ１００３）、暗号化された状態のままデータ記憶サーバ２へ転送（送信）する（ステップＳ１００４）。データ記憶サーバ２では、暗号化された状態のまま必要情報を受信して、記憶装置２３の必要情報記憶部２３１に記憶する（ステップＳ１００４）。
【００８１】
図１１は、本発明の実施の形態に係る引越見積受付システムのサーバ１のＣＰＵ１１の引越費用の見積りに必要な必要情報の取得時の処理手順を示すフローチャートである。図１１では、業者端末５が、ＩＤ及びパスワード等により、正規に事前に登録された引越業者の業者端末５であることを確認した後の処理を示している。図１１において、サーバ１のＣＰＵ１１は、業者端末５の請求情報受付手段５１１で入力を受け付けた請求情報を受信する（ステップＳ１１０１）。
【００８２】
なお、請求情報についても暗号化してデータ通信することが好ましい。送信者が引越費用の見積りを行う引越業者であることを容易に判断できるからである。
【００８３】
ＣＰＵ１１は、データ記憶サーバ２に記憶されている必要情報を読み出す（ステップＳ１１０２）。具体的には、サーバ１からデータ記憶サーバ２にアクセスして、記憶装置２３の必要情報記憶部２３１に記憶されている必要情報を読み出す。並行して、ＣＰＵ１１は、読み出した必要情報に対応する復号鍵情報を読み出し、業者端末５へ送信する（ステップＳ１１０３）。
【００８４】
ＣＰＵ１１は、読み出した必要情報を、請求情報を受信した業者端末５へ送信する（ステップＳ１１０４）。したがって、通信途上で第三者に傍受された場合であっても、必要情報の内容を把握されることはない。
【００８５】
業者端末５は、受信した必要情報を、事前に取得した復号鍵情報（図７の共通鍵情報）を使用して復号する。復号された必要情報に基づいて、各引越業者の見積額算出プログラムによって、引越費用の見積額を算出して見積書として作成する。
【００８６】
なお、例えば単身での引越の場合、ユーザによる自己申告により家財道具の総量を示す家財量等の入力を受け付け、所定の条件範囲内、例えば家財量が６ｍ3 以下、移動距離が１５００ｋｍ以内等の範囲内であれば、引越費用の見積額を算出して見積書として作成することもある。しかし、ほとんどの場合、ユーザによる必要最低限の個人情報を含む必要情報の入力を受け付け、例えば最寄りの引越業者（営業所、支店、本社等）の業者端末５へ必要情報が送信される。引越業者は、必要情報に基づいてユーザの自宅へ訪問、家財量等を確認した後に見積書を作成する。もちろん、見積書の作成に見積額算出プログラムを使用しても良い。
【００８７】
以上のように本実施の形態によれば、秘密情報が多く含まれている必要情報を、外部のコンピュータから直接読み出すことができず、高いセキュリティレベルを維持した状態で引越費用の見積りを行うことが可能となる。万一、サーバ１において不正アクセスが検知された場合であっても、その時点で手段を講じることができ、必要情報が記憶されているデータ記憶サーバ２へ不正アクセスされる危険を抑制することも可能となる。
【００８８】
なお、本発明は上記実施例に限定されるものではなく、本発明の趣旨の範囲内であれば多種の変更、改良等が可能である。例えば上述した実施の形態では、業者端末５の記憶装置５３には、取得した必要情報に基づいて引越費用の見積額を算出する見積額算出プログラム及び算出するための基礎情報が記憶されているが、これらをすべてサーバ１に記憶させておき、サーバ１が見積額を算出し、業者端末５へは見積額のみがデータ通信される構成であっても良い。この場合、必要情報が外部の第三者へ漏えいする可能性を、さらに低くすることが可能となる。
【００８９】
また、上記実施例のように、ユーザ端末４にて暗号化された情報を、サーバ１で復号することなく業者端末５にて復号することに限定されるものではなく、例えばサーバ１が受信した時点で復号し、新たな暗号化方法により暗号化してデータ記憶サーバ２に記憶しても良い。二重に復号鍵情報が必要となるので、セキュリティレベルを高く維持することができる。同様に業者端末５への送信時に別の暗号化方法で暗号化しても良いことは言うまでもない。
【００９０】
さらに、サーバ１がユーザ端末４からユーザに関する必要情報を受信した時点で、サーバ１は、必要情報の送信元であるユーザの住所、すなわち引越元の住所に最寄りの業者端末５へ、該ユーザに関する必要情報を送信しても良い。この場合、サーバ１のＣＰＵ１１は、図１１の処理を実行せず、図１０のステップＳ１００４において、記憶装置１３に記憶されている業者情報の中から、ユーザに関する必要情報に含まれる現住所（引越元）に最も近接している引越業者を選択して、選択された引越業者の業者端末５へ必要情報を転送する。
【符号の説明】
【００９１】
１  サーバ
２  データ記憶サーバ
３  ネットワーク網
４  ユーザ端末
５  業者端末
１１、４１、５１  ＣＰＵ
１２、４２、５２  メモリ
１３、４３、５３  記憶装置
１４、４４、５４  Ｉ／Ｏインタフェース
１５、４５、５５  ビデオインタフェース
１６  可搬型ディスクドライブ
１７、４６、５６  通信インタフェース
９０  可搬型記録媒体
１００  コンピュータプログラム
【図１】
2015210581.tif 000003
【図２】
2015210581.tif 000004
【図３】
2015210581.tif 000005
【図４】
2015210581.tif 000006
【図５】
2015210581.tif 000007
【図６】
2015210581.tif 000008
【図７】
2015210581.tif 000009
【図８】
2015210581.tif 000010
【図９】
2015210581.tif 000011
【図１０】
2015210581.tif 000012
【図１１】
2015210581.tif 000013